(57)【要約】液体中に浸漬された変換器からの音波に患者をさらすことによって循環系の機能が不全な患者を処置する方法。人は好ましくは音源から１から２０フィートの距離に位置し、好ましくは約２５分にわたって６００Ｈｚの周波数にさらされる。【選択図】図１
2004504088.tif 000002
【特許請求の範囲】
【請求項１】
低周波数の音波変換器を備えるステップと、液体が入れられたコンテナに前記低周波数の音波変換器を浸すステップと、循環器系の機能障害をもった人を前記低周波数の音波変換器から有益な治療効果のある距離に配置するステップと、前記人を前記低周波数の音波変換器からの有益な治療効果のある周波数の音波に有益な治療効果のある時間にわたってさらすステップとを有してなる循環器系の機能障害に対する処置方法。
【請求項２】
前記有益な治療効果のある距離は、前記低周波数の音波変換器から約１フィートないし約２０フィートの間であることを特徴とする請求項１に記載の循環器系の機能障害に対する処置方法。
【請求項３】
前記有益な治療効果のある距離は、前記低周波数の音波変換器から約１フィートであることを特徴とする請求項２に記載の循環器系の機能障害に対する処置方法。
【請求項４】
前記有益な治療効果のある距離は、前記低周波数の音波変換器から約５フィートであることを特徴とする請求項２に記載の循環器系の機能障害に対する処置方法。
【請求項５】
前記有益な治療効果のある距離は、前記低周波数の音波変換器から約１０フィートであることを特徴とする請求項２に記載の循環器系の機能障害に対する処置方法。
【請求項６】
前記有益な治療効果のある距離は、前記低周波数の音波変換器から約２０フィートであることを特徴とする請求項２に記載の循環器系の機能障害に対する処置方法。
【請求項７】
前記有益な治療効果のある時間は約２秒間ないし１時間であることを特徴とする請求項１に記載の循環器系の機能障害に対する処置方法。
【請求項８】
前記有益な治療効果のある時間は約１５分間ないし４５分間であることを特徴とする請求項７に記載の循環器系の機能障害に対する処置方法。
【請求項９】
前記有益な治療効果のある時間は約２０分間ないし３０分間であることを特徴とする請求項８に記載の循環器系の機能障害に対する処置方法。
【請求項１０】
前記有益な治療効果のある時間は約２５分間であることを特徴とする請求項９に記載の循環器系の機能障害に対する処置方法。
【請求項１１】
前記有益な治療効果のある周波数は、約１ヘルツないし約１０００ヘルツであることを特徴とする請求項１に記載の循環器系の機能障害に対する処置方法。
【請求項１２】
前記有益な治療効果のある周波数は、約４００ヘルツないし約８００ヘルツであることを特徴とする請求項１１に記載の循環器系の機能障害に対する処置方法。
【請求項１３】
前記有益な治療効果のある周波数は、約６００ヘルツであることを特徴とする請求項１２に記載の循環器系の機能障害に対する処置方法。
【請求項１４】
低周波数の音波変換器を備えるステップと、液体が入れられたコンテナに前記低周波数の音波変換器を浸すステップと、循環器系の機能障害をもった人を前記低周波の音波変換器から約１フィートないし約２０フィートの位置に配置するステップと、前記人を前記低周波数の音波変換器からの約６００ヘルツの音波に約１５分間ないし約４５分間にわたってさらすステップとを有してなる循環器系の機能障害に対する処置方法。
【請求項１５】
前記人は、アテローム性動脈効果症を患っていることを特徴とする請求項１４に記載の循環器系の機能障害に対する処置方法。
【請求項１６】
前記人は、環状動脈疾患を患っていることを特徴とする請求項１４に記載の循環器系の機能障害に対する処置方法。
【請求項１７】
前記人は、心筋虚血症を患っていることを特徴とする請求項１４に記載の循環器系の機能障害に対する処置方法。
【請求項１８】
前記人は、狭心症を患っていることを特徴とする請求項１４に記載の循環器系の機能障害に対する処置方法。
【請求項１９】
前記人は、インポテンツを患っていることを特徴とする請求項１４に記載の循環器系の機能障害に対する処置方法。
【請求項２０】
低周波数の音波変換器を備えるステップと、液体が入れられたコンテナに前記低周波の音波変換器を浸すステップと、循環器系の機能障害をもった人の身体の少なくとも一部を前記液体が入れられたコンテナの中に配置するステップと、前記人を前記低周波数の音波変換器からの約６００ヘルツの音波に、約１５分間ないし約４５分間にわたってさらすステップとを有する循環器系の機能障害に対する処置方法。
【発明の詳細な説明】
【発明の属する技術分野】
本発明は一般に循環系の機能障害の処置方法に係り、特に音波を用いることによって循環系の機能障害を処置する方法に関する。
【背景技術】
人体又は動物の体において、循環器系に機能不全を生じさせるものが多くある。これらは、アテローム性動脈硬化症、心臓動脈の病気、心臓虚血症、狭心症、あるいはある形態のインポテンツを含む。これらが引き起こす機能不全、痛み、不快、その他の影響への処置は、明らかに重要なことである。これらの機能不全等に関する背景的ないくつかの情報として、それらの原因、それらの体への影響及びそれらに対する処置について予め説明しておく。
アテローム性動脈効果症とは、動脈の内側の裏地にプラークが生じることによる動脈の肉厚化または硬化のことである。このプラークは、脂肪質の物質、コレステロール、細胞消費物質、カルシウムおよびフィブリンからなっている。このプラークは、動脈を通る血液の流れを部分的に、または完全にブロックしてしまい得るし、プラーク内への出血や、プラークの表面への凝結塊をも形成され得る。これら出血や凝結塊が動脈を完全にブロックすると、心臓発作または脳卒中が生じ得る。
心臓動脈の病気とは、心臓動脈が十分に狭くなり、心臓に流れる血液が減少する状態を指す。（このような挟化の原因として可能性のあるものの１つがアテローム性動脈硬化症である。）虚血とは血流量の減少の別名である。心臓への血流量の減少は、環状動脈性心臓病を結果的をもたらし、これはその血の供給の障害物に起因して十分な血を受けることができない結果心筋がダメージを受けてしまうものである。軽い狭心症からくる環状動脈性心臓病の症状は、以下述べるように、完全な心臓発作に至る。このような兆候は一般に心臓の動脈がおおよそ７５％狭くなったときにはじまる。おおよそ１３，９００，０００人のアメリカ人が環状動脈性心臓病を患い、これは合衆国における主要な死因の１つとなっている。
環状動脈性心臓病の１つの症状は、心臓が所定のレベルの動作をするときに必要なだけの血液を受けられないときに発生する狭心症、繰り返し起こる胸の痛みまたは不快感である。狭心症の症状は通常肉体的な激しい活動のみならず、感情的なストレスや、過度の寒さまたは暑さ、過食、アルコールまたは喫煙によっても引き起こされる。狭心症の痛みは通常休養か、またはニトログリセリン、βブロッカー、カルシウムチャンネルブロッカーといった狭心症用の薬物投与によって和らげられる。好ましくは狭心症を引き起こす内在的な心臓病も同時に処置される。
心臓病は、高血圧、喫煙、高い血中コレステロールレベル、過度の肥満といったリスクファクターをコントロールすることによっても処置され得る。βブロッカー及び凝結塊溶解薬を含む薬物療法もまた可能である。これらの処置が不十分である場合、心臓カテーテルの挿入、心臓の血管造影法、心臓動脈のバイパス接合、血管形成術等の侵襲的な処置が活用され得る。
インポテンツまたは勃起機能障害は、性交に十分な勃起が常に継続できないことの原因となる。それはアメリカ人男性の１０００ないし１５００万人を冒している。インポテンツは通常肉体的な原因を有し、ペニス内の血流を悪くするいかなる異常もインポテンツを生じさせ得る。最も一般的なインポテンツの原因の１つが動脈へのダメージである。アテローム性動脈硬化症および血管の病気を含む循環系に関する病気は、インポテンツの事例のうち顕著な割合を占める。
インポテンツに対する処置として、潜在的に有害な薬及び行動修正を除去することに引き続き、真空装置、例えばバイアグラ（「バイアグラ」は、ファイザー・プロダクツ・インクの登録商標である。）のような飲み薬、局所に注射する薬、外科的に移植される器官等が含まれる。
これらの機能障害は、これらに苦しめられる人々に問題をもたらし、安全かつ効果的な処置が要望されていることが明らかであろう。処置方法に関しては、非侵襲的であり、外科的でないテクニックが一般に好ましい。さらに、身体に予知可能な、あるいは予知不可能な副作用を生じさせ得る薬物の使用よりも、安全な非化学的な処置のほうが好ましい。ここにリストされた個々の機能障害は異なった原因を有するが、それらが全て循環器系に関するという事実は、単一の処置がこれらそれぞれの機能障害に対して潜在的に作用する可能性を高くする。本発明は、これらの機能障害のそれぞれのための処置に係るものであり、この処置は、非侵襲的であり、非外科的であり、非化学的である。
本出願人に対して付与された合衆国特許番号５，１３２，９４２号においては、低周波数の電機音響変換器（「カソネ変換器」）が開示されている。合衆国特許番号５，１３２，９４２号によれば、カソネ変換器は、リサイクリングおよび環境向上のために、エマルジョン、化学物質その他の廃棄物を分散させるために用いることができる。この特許はカソネ変換器の医療目的での使用については開示していない。そのような使用が本発明に関するものである。
【発明の概容】
本発明の目的は、循環器系の機能障害を処置する非侵襲の方法を提供することにある。
また、本発明の他の目的は、循環器系の機能障害を処置する非外科的な方法を提供することにある。
また、本発明の他の目的は、循環器系の機能障害を処置する非化学的な方法を提供することにある。
また、本発明の他の目的は、音波を使用することによって循環器系の機能障害を処置する方法を提供することにある。
【好適な実施形態の簡単な説明】
本発明の一実施形態によれば、循環器系の機能障害に対する処置が開示される。この方法は、低周波数の音波変換器（ｔｒａｎｓｄｕｃｅｒ）を提供するステップと、この低周波数の音波変換器を液体が入っているコンテナに浸すステップと、循環器系の機能障害をもつ人を低周波数の音波変換器から有益な治療効果のある距離に配置するステップと、この人を有益な治療効果のある期間にわたって、低周波数の音波変換器から出る有益な治療効果のある周波数の音波にさらすステップとを有してなる炎症性の筋骨格の結合組織の機能障害を処置する方法が開示される。
本発明の別の実施形態によれば、循環器系の機能障害に対する処置方法が開示される。この方法は、低周波数の音波変換器を提供するステップと、この周波数の音波変換器を液体が入れられたコンテナに浸すステップと、循環器系の機能障害を持つ人を低周波数の音波変換器から約１フィートないし約２０フィートの間に配置するステップと、この人に約１５分ないし約４５分にわたって低周波数の音波変換器からの約６００ヘルツの音波にさらすステップとを有してなる。
本発明のまた別の実施形態によれば、循環器系の機能障害に対する処置方法が開示される。この方法は、低周波数の音波変換器を提供するステップと、低周波数の音波変換器を液体が入ったコンテナに浸すステップと、循環器系の機能障害を有する人の身体の少なくとも一部を液体が入れられたコンテナの中に位置させるステップと、この人を約１５ないし４５分にわたって低周波数の音波変換器からの約６００ヘルツの音波にさらすステップとを有してなる。
［図面の簡単な説明］
図１は、本発明の方法を実施するときの全体の斜視図であって、電機音響変換器からの距離を違えて配置した人を伴なうものである。
図２は、本発明の方法に使用するのに好適な形式の電機音響変換器の断面図である。
【好適な実施形態の詳細な説明】
本発明は、循環器系機能障害を処置するための改良された方法に関する。このような症状は、以下述べるものに限定されるものではないが、アテローム性動脈硬化症、環状動脈疾患、心筋虚血疾患、狭心症及びある種のインポテンツを含む。
この方法は、カソネ（Ｃａｓｓｏｎｅ）変換器のような変換器１０を、水又は他の液体が入っているコンテナ１２の中に配置することからはじまる。コンテナ１２は好ましくは１ないし５００ガロンの容量の範囲であり、５ないし５５ガロンの間の容量が特に好ましく、約５０ガロンが最適であると考えられる。好ましくは、変換器１０は、合衆国特許番号５，１３２，９４２号において示されたカソネ変換器から、水密の電気コネクタ１４を付加して合衆国特許番号５，１３２，９４２号の図２に示された同軸のサプライラインおよびターミナル１０を置き換えるとともに、アイボルト１６によって合衆国特許番号５，１３２，９４２号の図２に示された一対のリフトメンバー１２を置き換える微細な変更をするとよい。これらの変更は、変換器１０を液体環境中で使用しやすくするためのものであり、水密の電気コネクタ１４はより大きな安全性を提供し、アイボルト１６は、コンテナ１２からの変換器１０の取外しをより簡単にするものである。（変換器１０として、ここに述べたような部分修正されたカソネ変換器を用いることが好ましいが、液体環境の中で動作が可能であり、上述した範囲の周波数の音波を発生することができるものであれば足りる。）
図１を参照すると、循環器系の機能障害を患っている人１８は、変換器１０が中に入れられているコンテナ１２の近くに位置している。（ここで人１８は「人間」として描かれているが、ここで用いられる「人」という語は、人間と同時に動物も含むものとする。）人１８は、変換器１０／コンテナ１２に対していかなる距離にも配置され得る。その距離は有益な治療効果を得られるように決定される。実験によるとこのような利益を得ることができる範囲は、約１フィートないし２０フィートの範囲で提供されるが、この範囲以外であっても、この範囲内と同様な利益は得られうる。距離Ａは１フィートの距離を表わすことを意図し、距離Ｂは５フィートの距離を表わし、距離Ｃは１０フィートの距離を表わし、距離Ｄは２０フィートの距離を表わしている。
図１においては人１８を変換器１０の一方向の異なった位置に配置しているが、変換器１０は全方位のものであり、人１８は変換器１０に対していかなる方向に配置されてもよい。さらに、２以上の人１８を変換器１０に対し異なる方向に同時に配置してもよい。全く、好ましくは、変換器１０を取り囲んで配置された椅子に配置されるとよい。そして、このような比較的快適な状態で処置を受けるようにするとよい。
人１８は、有益な治療効果を得られるように決定されたいずれかの周波数の変換器１０からの音波にさらされるべきである。実験によると、このような効能は１ないし１０００ヘルツの範囲で得られることが示され、より良好な結果は４００ないし８００ヘルツの範囲で得られ、最良の結果は約６００ヘルツにおいて得られた。
人１８は、変換器１０からの音波に、有益な治療効果を得られるように決定された時間にわたってさらされるべきである。実験によると、このような効能は２秒間から１時間の範囲の時間にわたってさらすことによって提供されることが示され、より良好な結果は１５分間ないし４５分間の範囲の時間にわたってさらすことにより得られた。特に２０分間ないし３０分間の範囲が好ましく、約２５分間にわたってさらしたときに最良の結果が得られたように見うけられた。さらに、より良好な結果を得るためには、この処置は週毎に、あるいは月ごとのベースで、症状が常時消滅するまで繰り返し行うことが好ましい。
本発明の方法は、循環器系の機能障害を患った数人の人を対象に試験を行なった。これらの試験を受けた者の多くは、彼らの症状の顕著な軽減を経験している。
さらに特記すべきは、良好な結果は、彼または彼女の身体の患部をコンテナ１２の中の液体内に配置した人１８の場合に得られた。一実施形態においては、コンテナ１２はジャクジーまたは風呂のサイズ（または実際にジャクジーそのもの）に形成され、人１８はコンテナ１２の中に座って処置を受けるようにしてもよい。このような方法を実施する際には、人１８を変換器１０に対して非常に近く、１フィートよりもいっそう近くに配置することができるようになる。
詳細な図示を目的として本発明の特定の実施形態について説明してきたが、本発明の技術的思想ないしは範囲から外れることなく、いろいろな変更を加えることが可能である。したがって、本発明は、冒頭に述べた特許請求の範囲以外によっては限定されない。
【図面の簡単な説明】
【図１】
本発明を実施する際の全体を示す斜視図であって、電気音響変換器からの距離を違えて配置した人を伴なうものである。
【図２】
本発明の実施に好適な形式の電気音響変換器の断面図である。
【符号の説明】
１０　変換器
１２　コンテナ
１８　人
【国際公開パンフレット】
2004504088.tif 000003
2004504088.tif 000004
2004504088.tif 000005
2004504088.tif 000006
2004504088.tif 000007
2004504088.tif 000008
2004504088.tif 000009
2004504088.tif 000010
2004504088.tif 000011
2004504088.tif 000012
2004504088.tif 000013
2004504088.tif 000014
2004504088.tif 000015
2004504088.tif 000016
2004504088.tif 000017
【国際公開パンフレット（コレクトバージョン）】
2004504088.tif 000018
【国際公開パンフレット（コレクトバージョン）】
2004504088.tif 000019
【国際調査報告】
2004504088.tif 000020
2004504088.tif 000021